(57)【要約】      （修正有）【課題】ブレードが回転に伴ってルアー全体が回転してしまう事態を効率良く防止することができるスピナー型ルアーを提供する。また、ルアー全体の回転を防止するだけでなく、より集魚効果を高めたスピナー型ルアーを提供する。【解決手段】本スピナー型ルアー１は、釣糸に連結されるシャフト１０と、該シャフト１０を軸としてシャフト１０に回転可能に配設されたブレード２０と、シャフト１０に所定長さ懸下して配設された重り部材３０とを含む。このように、シャフト１０から所定長さ懸下して配設された重り部材３０を有するため、水流を受け、ブレード２０が回転した場合であっても、ルアー１全体が回転する事態を効果的に防止することができる。【選択図】図１
0003164424.tif 000002
【実用新案登録請求の範囲】
【請求項１】
釣糸に連結されるシャフト（１０）と，
前記シャフト（１０）に，前記シャフト（１０）を軸として回転可能に配設されたブレード（２０）と，
前記シャフト（１０）に，所定長さ懸下して配設された重り部材（３０）と
を含む
スピナー型ルアー。
【請求項２】
前記シャフト（１０）は，前記シャフト（１０）の一端を折り返してなる折返部（１２）を含み，
前記重り部材（３０）は，前記折返部（１２）に，所定長さ懸下して配設されている
請求項１に記載のスピナー型ルアー。
【請求項３】
前記重り部材（３０）は，前記シャフト（１０）に着脱可能に配設されている
請求項１に記載のスピナー型ルアー。
【請求項４】
前記重り部材（３０）は，球形状である
請求項１に記載のスピナー型ルアー。
【請求項５】
さらに，前記シャフト（１０）と前記重り部材（３０）とを連結するリング状の連結部材（４０）を含み，
前記重り部材（３０）は，前記連結部材（４０）を介して，前記シャフト（１０）配設されている
請求項１に記載のスピナー型ルアー。
【請求項６】
さらに，前記シャフト（１０）の一端に配設されたフック（７０）を含み，
前記重り部材（３０）は，前記ブレード（２０）と比較して，前記フック（７０）が配設された前記シャフト（１０）の一端よりに配設されている
請求項１に記載のスピナー型ルアー。
【考案の詳細な説明】
【技術分野】
【０００１】
本考案は，魚を誘引する魚釣用ルアーに関する。特に，本考案は，シャフトを軸に回転可能に配設されたブレードを有するスピナー型のルアーに関する。
【背景技術】
【０００２】
従来から，釣りに用いられるルアーの一種として，渓流や海流を受けて回転するブレードを備えるスピナー型のルアーが知られている。公知のスピナー型ルアーは，シャフト，ブレード，及びフックを有する。スピナー型ルアーは，ロッドに取り付けたリールにシャフトを取り付けて使用する。スピナー型ルアーが川や海の中に投げ入れられると，シャフトに回転可能に取り付けられたブレードが水流を受けて回転する。ブレードが回転すると，水切り音や，光の乱反射が発生し，魚が誘き寄せられる。誘き寄せられた魚は，ルアーを餌と誤認して食い付き，魚の口内にフックが引っ掛かる。このようにして，ルアーを用いて魚を捕獲することができる。
【０００３】
しかしながら，渓流や海流が激しいと，シャフトに取り付けられたブレードの回転力が上がりすぎる。このため，ブレードの回転力を受けて，ルアー全体も回転してしまう。すると，ルアーに取り付けられたラインが捩れることとなる。そして，リールを巻いて，捩れたラインを手元に戻すと，捩れたラインがリール内で絡まり合うという，いわゆるバックラッシュ現象が発生してしまう。
【０００４】
そこで，ブレードの回転に伴ってルアー全体が回転することを防止するための考案として，ルアーボデーに錘を一体形成したスピナー型ルアーが提案されている（登録実用新案第３００６４０９号公報）。しかし，この考案では，錘がルアーボデーに一体形成されたものであるため，ルアー全体の重心が，シャフト軸に比較的近くなっている。従って，ルアー自体の回転を防止するためには不十分なものであった。
【先行技術文献】
【特許文献】
【０００５】
【特許文献１】登録実用新第３００６４０９号公報
【考案の概要】
【考案が解決しようとする課題】
【０００６】
そこで，本考案は，ブレードが回転に伴ってルアー全体が回転する事態を効率良く防止することができるスピナー型ルアーを提供することを目的とする。
【０００７】
また，本考案は，ルアー全体の回転を防止するだけでなく，より集魚効果を高めたスピナー型ルアーを提供することを目的とする。
【課題を解決するための手段】
【０００８】
本考案は，基本的には，シャフトに重り部材を懸下させ，ルアーの重心を下方にずらすことにより，ブレードの回転に伴ってルアー全体が回転することを効果的に防止することができるという知見に基づく。
【０００９】
本考案に係るスピナー型ルアーは，シャフト１０，ブレード２０，及び重り部材３０を含む。シャフト１０は，釣糸に連結されるルアー本体を構成する部材である。ブレード２０は，シャフト１０に，シャフト１０を軸として回転可能に配設された部材である。重り部材３０は，シャフト１０に，所定長さ懸下して配設された部材である。重り部材３０が懸下する長さは，任意に定めることができる。
【００１０】
このように，本考案は，重り部材３０がシャフト１０に所定長さ懸下して配設されているため，ルアー自体の重心を，重り部材３０が懸下する方向にずらすことができる。従って，本考案は，効果的にルアー全体が回転することを防止することができる。
【００１１】
さらに，本考案における重り部材３０は，シャフト１０に所定長さ懸下して配設されているため，渓流や海流を受けて遊動する。このように，重り部材３０を，水中で遊動させることによって，魚を誘き寄せることができる。従って，本考案は，より高い集魚効果を発揮する。
【００１２】
本考案に係るスピナー型ルアーにおいて，シャフト１０は，その一端を折り返してなる折返部１２を含むことが好ましい。そして，重り部材３０は，折返部１２に，所定長さ懸下して配設されていることが好ましい。
【００１３】
このように，本考案がシャフト１０の一端を折り返してなる折返部１２を有することにより，ルアーの重心は，折返し部１２が存在する方向にずれる。さらに，重り部材３０は，折返し部１２に所定長さ懸下して配設されている。従って，折返し部１２が形成されていない場合と比較して，ルアーの重心をより下方にずらすことができる。
【００１４】
本考案に係るスピナー型ルアーおいて，重り部材３０は，シャフト１０に着脱可能に配設されていることが好ましい。
【００１５】
このように，重り部材３０が着脱自在であれば，ルアーを使用する川や海の流れの激しさに応じて，シャフト１０に懸下させる重り部材３０を適宜変更することができる。つまり，異なる重量を有する複数の重り部材３０を予め準備しておくことにより，例えば，渓流が強い時間帯には比較的重い重り部材３０を着用し，渓流が弱い時間帯には比較的軽い重り部材３０を着用するなどの使い分けをすることができる。
【００１６】
本考案に係るスピナー型ルアーにおいて，重り部材３０は，球形であることが好ましい。
【００１７】
このように，重り部材３０が球形であれば，水流の向きが急に変わった場合であっても水流の影響を受けにくい。従って，球形の重り部材３０は，ルアーに対して，常に沈下しようとする下向きの力を与えることができる。このため，水中におけるルアーの動作を安定させることができる。
【００１８】
本考案に係るスピナー型ルアーは，さらに，シャフト１０と重り部材３０とを連結するリング状の連結部材４０を含むことが好ましい。また，重り部材３０には，リング状の連結部３２が形成されていることが好ましい。そして，重り部材３０は，連結部材４０を介して，シャフト１０に配設されていることが好ましい。
【００１９】
このように，シャフト１０と重り部材３０が，リング状の連結部材４０によって連結されていることにより，重り部材３０の水中における遊動の自由度がより高くなる。従って，本考案は，さらに高い集魚効果を発揮することができる。
【００２０】
本考案に係るスピナー型ルアーは，さらに，シャフト（１０）の一端に配設されたフック（７０）を含むことが好ましい。そして，重り部材（３０）は，ブレード（２０）と比較して，フック（７０）が配設されたシャフト（１０）の一端よりに配設されることが好ましい。
【００２１】
このように，重り部材（３０）が，フック（７０）よりに配設されているため，重り部材（３０）とフック（７０）の重量により，ルアー全体の重心を下方にずらすことができる。従って，重り部材（３０）とフック（７０）の重量が相まって，より効果的に，ルアー全体が回転することを防止できる。
【考案の効果】
【００２２】
上記のような構成を有することにより，本考案に係るスピナー型ルアーは，ブレードの回転に伴ってルアー全体が回転してしまう事態を効率良く防止することができる。また，本考案に係るスピナー型ルアーは，ルアー全体の回転を防止するだけでなく，より集魚効果を発揮することができる。
【図面の簡単な説明】
【００２３】
【図１】図1は，本考案に係るスピナー型ルアーの例を示した側面図である。
【図２】図２は，本考案に係るスピナー型ルアーの例を示した断面図である。
【図３】図３（ａ）は，本考案に係るスピナー型ルアーの例を示した底面図である。図３（ｂ）は，本考案に係るスピナー型ルアーの例を示した斜視図である。
【図４】図４（ａ）及び（ｂ）は，本考案に係るスピナー型ルアーの例を立体的に示した斜視図である。
【図５】図５は，シャフトから重り部材を着脱する際の動作を示した図である。図５（ａ）は，重り部材がシャフトに取り付けられた状態を示す図である。図５（ｂ）は，重り部材がシャフトから取り外された状態を示す図である。
【考案を実施するための形態】
【００２４】
以下，図面を用いて，本考案を実施するための形態について説明する。ただし，本考案は，以下の実施の形態に限定されるものではなく，当業者にとって自明な範囲で適宜修正したものを含む。
【００２５】
図1は，スピナー型のルアー１の側面図である。図１に示すように，ルアー１は，シャフト１０と，シャフト１０に配設されたブレード２０と，連結部材４０を介してシャフト１０に配設された重り部材３０とを含む。さらに，ルアー１は，シャフト１０に固定された固定部材５０と，シャフト１０に配設された複数の飾り部材６０と，リフック連結部材８０を介してシャフト１０の先端部に連結されたフック７０とを含む。ブレード２０は，重り部材３０と比較し，シャフト１０の後端に近い位置に配設される。また，重り部材３０は，ブレード２０と比較し，シャフト１０の先端に近い位置に配設される。固定部材５０は，重り部材３０の遊動幅を制限するために重り部材３０付近に固定される。複数の飾り部材６０のそれぞれは，シャフト１０における，ブレード２０と固定部材５０の間，又はブレード２０とシャフト１０の後端との間に配設される。
【００２６】
図２は，ルアー１の断面図である。図２に示すように，線状のシャフト１０は，ブレード２０，重り部材３０，固定部材５０，飾り部材６０，及びフック７０のすべてを連結している。シャフト１０の後端には，釣糸を巻き付けるためのアイレット１４が形成されている。アイレット１４は，線状のシャフト１０自体を湾曲させることにより形成することとしてもよいし，シャフト１０とは異なる部材によって形成することとしてもよい。一方，シャフト１０の先端は，Ｕ字状に折り返すように湾曲している。シャフト１０の先端がＵ字状に湾曲されることにより，折返部１２が形成される。折返部１２は，シャフト１０本体と平行であることが好ましい。折返部１２には，重り部材３０が配設される。また，シャフト１０は，金属製であることが好ましい。シャフト１０は，例えば，ステンレス，鉄，又は銅からなる。また，シャフト１０は，形状記憶合金で形成することとしてもよい。シャフト１０の全長は，３ｃｍ〜６ｃｍ，４ｃｍ〜５ｃｍであることが好ましく，先端の１ｃｍ〜２ｃｍ又は１．５ｃｍが，折返部１２として，Ｕ字状に折り返されていることが好ましい。
【００２７】
シャフト１０の後端付近にはブレード２０が配設される。ブレード２０本体の端部には，透孔が形成されている。そして，ブレード２０本体の透孔には，Ｕ字型のクレビス２２が挿通されている。クレビス２２は，Ｕ字型であり，各開放端部には，透孔が形成されている。クレビス２２の透孔には，シャフト１０が挿通される。このようにブレード２０本体は，クレビス２２をしてシャフト１０に取り付けられている。また，ブレード２０のクレビス２２にシャフト１０が挿通されるため，ブレード２０は，シャフト１０を軸として回転することが可能である。また，クレビス２２は，シャフト１０に遊びをもって挿通されるものである。従って，ブレード２０は，シャフト１０の長手方向に前後移動する。ただし，シャフト１０に，固定部材５０及び複数の飾り部材６０が挿通させることにより，ブレード２０が，シャフト１０の長手方向に前後する移動幅を制限することができる。ブレード２０は，シャフト１０に連結された重り部材３０及び固定部材５０と比較して，最もシャフト１０の後端よりに配置されることが好ましい。
【００２８】
また，ブレード２０は，楕円形状であることが好ましい。また，ブレード２０は，ティアドロップ型であってもよい。ブレード２０は，水流を受けて回転するものであるため，水の抵抗が比較的少ない流線形状で形成されていることが好ましい。ブレード２０は，軟金属製で，その表面が光を反射するものであることが好ましい。また，図３（ｂ）に示すように，ブレード２０の，表面又は裏面に模様２４を形成することとしてもよい。模様２４は，ブレード２０の両面に形成されていてもよい。模様２４は，光を乱反射するものであることが好ましい。また，模様２４は，魚眼を模したものであってもよい。
【００２９】
ブレード２０と比較し，よりシャフト１０先端（フック７０が連結されている端）に近い位置には，重り部材３０が配置されている。特に，重り部材３０は，シャフト１０の先端をＵ字状に湾曲させてなる折返部１２に配置される。重り部材３０本体には，透孔が形成された連結部３２が形成される。そして，連結部３２には，リング状の連結部材４０が挿通される。重り部材３０は，連結部材４０を介して，シャフト１０の折返部１２に懸下される。重り部材３０は，ルアー１の重量の２０％〜５０％，３０％〜４０％，又は３５％の重量とすることが好ましい。具体的に，重り部材３０の重量は，０．５ｇ〜１．５ｇ，０．７ｇ〜１．２ｇ，又は１ｇとすることが好ましい。重り部材３０は，金属で形成されることが好ましい。重り部材３０を形成する金属の例は，鉄，銅，銀，及び金である。
【００３０】
また，重り部材３０は，球形であることが好ましい。重り部材３０が球形であれば，水流の抵抗を受けにくいため，ルアー１が水中で安定した動作をすることができる。重り部材３０が球形である場合において，重り部材３０の直径は，３ｍｍ〜７ｍｍ，４ｍｍ〜６ｍｍ，又は５ｍｍとすることが好ましい。また，重り部材３０は，他の形状で形成するっこともできる。例えば，重り部材３０は，ティアドロップ型，星形，四角形，その他多角形としてもよい。また，重り部材３０を，魚のヒレを模した形状で成型することとしてもよい。重り部材３０を魚のヒレ形状を模した形状とすることにより，ルアー１を実際の魚の形状に似せることができるため，高い集魚効果を期待できる。また，重り部材３０は，シャフト１０に複数配設されるものであってもよい。すなわち，複数の重り部材３０を，１つの連結部材４０を介して，シャフト１０に懸下させることとしてもよい。また，複数の重り部材３０を，複数の連結部材４０を介して，シャフト１０に懸下させることとしても良い。このように，複数の重り部材３０を，シャフト１０に懸下させることにより，重り部材３０同士がぶつかり合う音によって，集魚効果を高めることができる。
【００３１】
連結部材４０は，重り部材３０をシャフト１０に連結するための部材である。連結部材４０は，リング状に形成され，シャフト１０の折返部１２に配設される。リング状の連結部材４０は，シャフト１０の折返部１２に遊びをもって連結されるものであるため，シャフト１０の長手方向に前後移動する。連結部材４０は，１本の線状の針金を二重螺旋としたものを用いることが好ましい。連結部材４０が二重螺旋構成であれば，重り部材３０の連結部３２を，連結部材４０の二重螺旋の間を通過させることによって，重り部材３０をシャフト１０から取り外すことが可能である。また，重り部材３０をシャフトに配設する際，複数の連結部材４０を連ねて連結させることとしてもよい。このように，連結部材４０を連結する個数によって，重り部材３０を懸下させる長さを調節することができる。各連結部材４０の直径は，２ｍｍ〜４ｍｍ，２．５ｍｍ〜３．５ｍｍ，又は３ｍｍであることが好ましい。
【００３２】
重り部材３０及び連結部材４０の上方には，固定部材５０が，シャフト１０に固定されている。固定部材５０は，シャフト１０の長手方向に前後移動しないよう，シャフト１０に密着して固定された部材である。固定部材５０は，シャフト１０本体からシャフト１０の折返部１２を覆うようにして，固定されている。このとき，シャフト１０の先端をＵ字状に湾曲させた湾曲点１６は，固定部材５０によって覆われず，露出した状態となっている。また，固定部材５０は，折返部１２を覆う部分のうちの一部を固定部材５０の胴体側に窪ませた凹部５２を有する。固定部材５０が凹部を有することにより，シャフト１０の折返部１２の一部が露出する。すなわち，重り部材３０をシャフト１０に懸下させる連結部材４０は，折返部１２のうち，固定部材５０によって覆われず露出した領域でのみ，シャフト１０の長手方向に前後移動することができる。固定部材５０は，折返部１２の先端を封じており，連結部材４０は，折返部１２から外れないようになっている。固定部材５０は，ブレード２０，重り部材３０，及び複数の飾り部材４０と比較し，最もシャフト１０の先端に近い位置に固定されることが好ましい。固定部材５０は，金属で形成することが好ましい。固定部材５０を形成する金属の例は，鉄，銅，銀，及び金である。固定部材５０の重量は，０．５ｇ〜１．５ｇ，０．７ｇ〜１．２ｇ，又は１ｇとすることが好ましい。
【００３３】
飾り部材６０は，光を反射させ，集魚効果を高める目的で，シャフト１０に配設された任意の部材である。飾り部材６０は，複数設けることとしてもよい。飾り部材６０は，ビーズであってもよく，またメッキ加工されたものであってもよい。飾り部材６０は，中心軸に沿って貫通形成された貫通孔を有する。飾り部材６０の貫通孔にはシャフト１０が挿通されている。このように，飾り部材６０は，シャフト１０に，遊びをもって嵌め込まれている。従って，飾り部材６０は，シャフト１０の長手方向に前後移動する。図１において，飾り部材６０は，シャフト１０に４つ配設されている。また，複数の飾り部材６０は，シャフト１０のうち，シャフト１０の後端に設けられたアイレット１４と，シャフト１０の先端付近に設けられた固定部材５０の間に配設されている。また，アイレット１４と固定部材５０の間には，ブレード２０も配設されている。複数の飾り部材６０と，ブレード２０の位置関係は，適宜設計することができる設計事項である。ただし，ブレード２０をなるべくシャフト１０の後端付近に配設させることが好ましい。複数の飾り部材６０を，ブレード２０と固定部材５０の間に配設することにより，ブレード２０をシャフト１０の後端に近づけて配設することが可能である。つまり，飾り部材６０は，ブレード２０を配設する位置を調節する役割を担う部材である。飾り部材６０の直径は，１ｍｍ〜５ｍｍ，２ｍｍ〜４ｍｍ，又は３ｍｍであることが好ましく，各飾り部材６０の直径は，異なるものであってもよい。
【００３４】
シャフト１０がＵ字状に湾曲した湾曲点１６には，リング状のフック連結部材８０を介して，フック７０が連結されている。先述したように，湾曲点１６は，固定部材５０によって覆われず，露出した状態となっている。従って，シャフト１０の先端をＵ字状に湾曲させた湾曲点１６と固定部材５０により，閉じられた環が画定されている。そして湾曲点１６と固定部材５０により画定された環に，リング状のフック連結部８０が配設される。一方，フック７０にもリング状の連結部７２が形成されている。これにより，フック７０は，フック連結部８０を介して，シャフト１０に連結される。フック７０の形状は，１本の針を有するシングルフック型であってもよいし，３本の針を有するトリプルフック型であってもよい。
【００３５】
図５は，本考案に係るスピナー型ルアー１の他の動作例を示している。図５（ａ）は，重り部材３０が，シャフト１０に取り付けられた状態を示す図である。図５（ａ）に示すように，ルアー１の固定部材５０は，シャフト１０本体に密着して固定されている。しかし，固定部材５０は，シャフト１０の折返部１２には固定されていない。固定部材５０は，折返部１２の先端を封ずるものではなく，折返部１２に接する部分は空洞となっている。また，固定部５０の一側面には，溝が形成されており，折返部１２が開放されるようになっている。さらに。固定部材５０の下方には，折返部１２の先端付近を支持する支持部５４が形成されている。支持部５４は，折返部１２の先端部付近下方から支持するものである。折返部１２が支持部５４に嵌り込むことにより，重り部材３０及び連結部材４０がシャフト１０に取り付けられた状態を維持することができる。一方，図５（ｂ）は，重り部材３０がシャフト１０から取り外された状態を示す図である。図５（ａ）に示す状態から，折返部１２を上方に持ち上げ，固折返部１２に対して，個定部材５０の溝が形成されている方向への力を加えると，折返部１２は，固定部材５０の溝を通過して，固定部材５０から開放される。このような動作によって，図５（ｂ）に示す折返部１２が開放された状態となる。ルアー１が上記構成を有することにより，簡単な動作で，シャフト１０から，重り部材３０及び連結部材４０を取り外すことができる。従って，重量や形状の異なる重り部材３０を複数準備しておくことで，渓流や海流の状態に応じて，重り部材３０を適宜交換することが容易となる。
【産業上の利用可能性】
【００３６】
本考案に係るスピナー型ルアーは，川や海などにおける魚釣りにおいて利用することができる。特に，シャフトを軸に回転可能に配設されたブレードを有するスピナー型のルアーとして好適に利用することができる。
【符号の説明】
【００３７】
１      ルアー
１０    シャフト
１２    折返部
１４    アイレット
１６    湾曲点
２０    ブレード
２２    クレビス
２４    模様
３０    重り部材
３２    連結部
４０    連結部材
５０    固定部材
５２    凹部
５４    支持部
６０    飾り部材
７０    フック
７２    連結部
８０    フック連結部材
【図１】
0003164424.tif 000003
【図２】
0003164424.tif 000004
【図３】
0003164424.tif 000005
【図４】
0003164424.tif 000006
【図５】
0003164424.tif 000007